(57)【特許請求の範囲】
【請求項１】
電路を開閉する開閉接点と、
前記電路の電流を検出する電流検出装置と、
前記電路を流れる電流に応じ、前記開閉接点を開放するための瞬時引外し特性、短限時引外し特性、および長限時引外し特性を設定する設定部と、
前記電流検出装置の出力信号が入力され、Ａ／Ｄ変換回路により前記出力信号に応じたデジタル値に変換するとともに、前記デジタル値に変換した値が前記瞬時引外し特性の電流領域を超えたときに瞬時引外し信号のみを出力し、限時引外し信号は出力しない第１のマイクロコンピュータと、
前記設定部が接続され、前記瞬時引外し特性を前記第１のマイクロコンピュータに送信するとともに、前記第１のマイクロコンピュータから前記電路を流れる電流情報を取得し前記限時引外し信号のみを出力し、前記瞬時引外し信号は出力しない第２のマイクロコンピュータと、
前記瞬時引外し信号および前記限時引外し信号に基づいて前記開閉接点を開放する引外し装置と、
前記第１のマイクロコンピュータから前記電路の電流情報を取得し、前記電流情報を表示または外部に出力する電流情報処理部と、
を備えたことを特徴とする電子式回路遮断器。
【請求項２】
前記第１のマイクロコンピュータは、前記電流検出装置からの電流信号に検出タイミングを示すタグデータを付与したタグ付き電流信号データを生成し、前記電流情報処理部と前記第２のマイクロコンピュータに前記タグ付き電流信号データを送信するタグデータ付与部を備え、
前記第２のマイクロコンピュータは、前記限時引外し信号を出力した際に前記タグデータを前記電流情報処理部に送信し、
前記電流情報処理部は、前記タグデータに基づいて前記引外し装置が前記開閉接点を開放する所定時間前から開放するまでの前記電流情報を表示または外部に出力する請求項１に記載の電子式回路遮断器。
【請求項３】
前記電流情報処理部は、前記第２のマイクロコンピュータに設けられていることを特徴とする請求項１または請求項２に記載の電子式回路遮断器。
【請求項４】
前記電流情報処理部は、前記第１のマイクロコンピュータおよび前記第２のマイクロコンピュータとは別の第３のマイクロコンピュータに設けられていることを特徴とする請求項１または請求項２に記載の電子式回路遮断器。
【請求項５】
前記電流情報は、前記引外し装置が前記開閉接点を開放する直前から開放するまでの前記電路における電流波形または前記電路の高調波電流であることを特徴とする請求項１から請求項４のいずれか１項に記載の電子式回路遮断器。
【請求項６】
前記第１のマイクロコンピュータに前記瞬時引外し信号を出力する瞬時引外し処理部を備えると共に、前記第２のマイクロコンピュータに前記限時引外し信号を出力する短限時引外し処理部と長限時引外し処理部を備えたことを特徴とする請求項１から請求項５の何れか１項に記載の電子式回路遮断器。
【発明の詳細な説明】
【技術分野】
【０００１】
この発明は、複数のマイクロコンピュータを搭載し電路に流れる電流波形等の表示を可能とする電子式回路遮断器に関するものである。
【背景技術】
【０００２】
電子式回路遮断器は、瞬時引外し特性、短限時引外し特性、および長限時引外し特性に大別される過電流引外し特性を備え、この過電流引外し特性を１つのマイクロコンピュータにより処理するものが一般的である（例えば、特許文献１、特許文献２参照）。
また、過電流引外し特性を処理するマイクロコンピュータに接続された表示ユニットが設けられ、この表示ユニットに各相電流値、平均電流値、漏洩電流値等の通電情報を表示する電子式回路遮断器も知られている（例えば、特許文献３参照）。
【先行技術文献】
【特許文献】
【０００３】
【特許文献１】特開平８−３３１７４８号公報
【特許文献２】特開２００２−１８６１６８号公報
【特許文献３】特開２００８−２０４６３０号公報
【発明の概要】
【発明が解決しようとする課題】
【０００４】
従来の電子式回路遮断器における過電流引外し特性の処理は、引外し特性の表示と設定、事前警報表示、定格オーバー表示、および通電情報表示といった表示ユニットの制御など機種毎に異なる処理が必要であるため、多くの機能を持つ機種では、マイクロコンピュータの負担が増大することとなる。しかしながら、電子式回路遮断器では、瞬時引外し特性のように回路遮断器の投入から開閉接点の開放まで数十ｍｓｅｃという短時間での動作が要求されるため、負担の増加に伴うマイクロコンピュータの処理時間の増大が問題となる。【０００５】
この発明は、かかる問題点を解決するためになされたもので、マイクロコンピュータによって過電流引外し特性を実現する電子式回路遮断器において、処理時間を短縮し、要求される短時間での動作が可能な信頼性の高い電子式回路遮断器の提供を目的とするものである。
【課題を解決するための手段】
【０００６】
この発明に係る電子式回路遮断器は、電路を開閉する開閉接点と、電路の電流を検出する電流検出装置と、電路を流れる電流に応じ、開閉接点を開放するための瞬時引外し特性、短限時引外し特性、および長限時引外し特性を設定する設定部と、電流検出装置の出力信号が入力され、Ａ／Ｄ変換回路により出力信号に応じたデジタル値に変換するとともに、デジタル値に変換した値が瞬時引外し特性の電流領域を超えたときに瞬時引外し信号のみを出力し、時限引外し信号は出力しない第１のマイクロコンピュータと、設定部が接続され、瞬時引外し特性を第１のマイクロコンピュータに送信するとともに、第１のマイクロコンピュータから電路を流れる電流情報を取得し限時引外し信号のみを出力し、瞬時引外し信号は出力しない第２のマイクロコンピュータと、瞬時引外し信号および限時引外し信号に基づいて開閉接点を開放する引外し装置と、瞬時引外し信号および限時引外し信号に基づいて引外し装置が開閉接点を開放する直前から開放するまでの電路における電流波形を表示、または外部に出力する電流情報処理部と、を備えたものである。
【発明の効果】
【０００７】
この発明に係る電子式回路遮断器によれば、Ａ／Ｄ変換部、演算部、引外し処理部、および電流情報処理部を複数のマイクロコンピュータで分担するため、各マイクロコンピュータの負担が軽減され、処理時間の短縮を図ることができる。
【図面の簡単な説明】
【０００８】
【図１】この発明の実施の形態１に係る電子式回路遮断器のブロック図である。
【図２】図１に示す電子式回路遮断器におけるマイクロコンピュータの機能を示す機能ブロック図である。
【図３】図２に示す電流情報処理部のＦＩＦＯテーブルを説明するための説明図である。
【図４】この発明の実施の形態２に係る電子式回路遮断器のブロック図である。
【図５】図４に示す電子式回路遮断器におけるマイクロコンピュータの機能を示す機能ブロック図である。
【図６】図５に示す電子式回路遮断器におけるタグデータ付与部の出力データであるタグ付きデジタル信号Ｄ１の構成を示す図である。
【図７】図５に示す電子式回路遮断器における最大値演算部の出力データであるタグ付き最大値データＤ２の構成を示す図である。
【図８】図５に示す電子式回路遮断器における実効値演算部の出力データであるタグ付き実効値データＤ３の構成を示す図である。
【図９】図５に示す電流情報処理部のＦＩＦＯテーブルを説明するための説明図である。
【図１０】図５に示す電子式回路遮断器における瞬時引外し処理部の出力データであるＩＮＳＴタグデータＴＩの構成を示す図である。
【図１１】図５に示す電子式回路遮断器における短限時引外し処理部の出力データであるＳＨＯＲＴタグデータＴＳの構成を示す図である。
【図１２】図５に示す電子式回路遮断器における長限時引外し処理部の出力データであるＬＯＮＧタグデータＴＬの構成を示す図である。
【図１３】この発明の実施の形態３に係る電子式回路遮断器におけるマイクロコンピュータの機能を示す機能ブロック図である。
【図１４】図１３に示す電子式回路遮断器におけるタグデータ付与部の出力データであるタグ付きデジタル信号Ｅ１の構成を示す図である。
【図１５】図１３に示す電流情報処理部のＦＩＦＯテーブルを説明するための説明図である。
【図１６】図１３に示す電子式回路遮断器における瞬時引外し処理部の出力データであるＩＮＳＴタグデータＴＩの構成を示す図である。
【図１７】図１３に示す電子式回路遮断器における最大値演算部の出力データであるタグ付き最大値データＥ２の構成を示す図である。
【図１８】図１３に示す電子式回路遮断器における短限時引外し処理部の出力データであるＳＨＯＲＴタグデータＴＳの構成を示す図である。
【図１９】図１３に示す電子式回路遮断器における実効値演算部の出力データであるタグ付き実効値データＥ３の構成を示す図である。
【図２０】図１３に示す電子式回路遮断器における長限時引外し処理部の出力データであるＬＯＮＧタグデータＴＬの構成を示す図である。
【発明を実施するための形態】
【０００９】
以下、この発明に係る電子式回路遮断器の実施の形態について図面を用いて説明する。なお、各図において同一符号は同一、若しくは相当部分を示している。
【００１０】
実施の形態１．
図１は実施の形態１に係る電子式回路遮断器４００のブロック図、図２は図１に示す電子式回路遮断器におけるマイクロコンピュータの機能を示す機能ブロック図、図３は図２に示す電流情報処理部のFirst In First Out（以下、ＦＩＦＯと称する）テーブルを説明するための説明図で、（ａ）は今回の説明、（ｂ）は次回の説明、（ｃ）は次々回の説明である。
【００１１】
図１に示すように、本実施の形態における電子式回路遮断器４００は、電路１を開閉する開閉接点２と、電路１に設けられ、電路１に流れる負荷電流に比例した電流信号を出力する電流検出装置３と、この電流検出装置３が出力する電流信号をアナログ電圧信号に変換する電流検出回路４と、過電流引外し特性のデータを設定する設定部５と、電流検出回路４のアナログ電圧信号に基づき高速な処理の要求される瞬時引外し特性の処理（例えば、１ｍ秒周期）を行う第１マイクロコンピュータ１０（以下、第１マイコン１０という）と、この第１マイコン１０より通信により電路１に流れる負荷電流の信号を取得し比較的低速な短限時／長限時引外し特性の処理（例えば、１２．５ｍ秒周期）、および設定部５で設定された過電流引外し特性のデータを記憶するための設定処理（例えば、１００ｍ秒周期）を行う第２マイクロコンピュータ２０（以下、第２マイコン２０という）と、第１マイコン１０および第２マイコン２０からの各引外し信号により引外し装置７を駆動し開閉接点２を開放する引外し回路６と、第２マイコン２０に接続され電路１の電流情報を表示する表示部８とから構成されている。
【００１２】
第１マイコン１０は、マイクロコンピュータを構成するＣＰＵ１０１、ＲＯＭ１０２、及びＲＡＭ１０３と、電流検出回路４からのアナログ電圧信号を、例えば、５００マイクロ秒の周期でデジタル信号に変換するＡ／Ｄ変換回路１０４と、起動時に第２マイコン２０から設定データを受信するとともに、第２マイコン２０と周期的に通信するための第１の通信回路１０５と、引外し回路６を駆動する出力ポート１０６と、から構成されている。
【００１３】
第２マイコン２０も、第１マイコン１０と同様にマイクロコンピュータを構成するＣＰＵ２０１、ＲＯＭ２０２、及びＲＡＭ２０３と、設定部５から設定データを読み込む設定入力部２０４と、第１マイコン１０の第１の通信回路１０５と周期的に通信するための第１の通信回路２０５と、引外し回路６を駆動する出力ポート２０６と、第１マイコン１０から電路の電流情報を取得し、電流情報を表示部８に表示させる表示出力部２０７と、から構成されている。
【００１４】
次に、第１マイコン１０および第２マイコン２０のソフトウェアで処理を行う機能ブロックについて説明する。
図２に示すように、第１マイコン１０のＣＰＵ１０１によるソフトウェア処理１０８は、Ａ／Ｄ変換回路１０４からのデジタル信号および第１の通信回路１０５を介して第２マイコン２０から取得した瞬時引外し特性のデータに基づき引外し回路６へ瞬時引外し信号を出力ポート１０６から出力する瞬時引外し処理部１０８ａと、Ａ／Ｄ変換回路１０４からのデジタル信号に基づき電路１に流れる負荷電流の所定期間の最大値を算出し第１の通信回路１０５を介して第２マイコン２０に最大値を送信する最大値演算部１０８ｂと、Ａ／Ｄ変換回路１０４からのデジタル信号に基づき電路１に流れる負荷電流の実効値を演算し第１の通信回路１０５を介して第２マイコン２０に実効値を送信する実効値演算部１０８ｃと、から構成されている。
【００１５】
ここで、最大値演算部１０８ｂが最大値を算出する所定期間は、例えば、交流電路であれば、交流電圧の半周期、直流電路であれば、１０ｍｓｅｃとする。また、実効値演算部１０８ｃが演算する実効値は、例えば、交流電路であれば、交流電圧の１周期における実効値、直流電路であれば、過去２０ｍｓｅｃの平均値とする。
【００１６】
第２マイコン２０のＣＰＵ２０１によるソフトウェア処理２０８は、設定部５により設定された瞬時引外し特性、短限時引外し特性、および長限時引外し特性のデータを設定するための設定処理部２０８ａと、第１マイコン１０からの負荷電流の最大値および短限時引外し特性のデータに基づき引外し回路６へ限時引外し信号Ｓ２を出力ポート２０６から出力する短限時引外し処理部２０８ｂと、第１マイコン１０からの負荷電流の実効値および長限時引外し特性のデータに基づき引外し回路６へ限時引外し信号Ｓ２を出力ポート２０６から出力する長限時引外し処理部２０８ｃと、第１マイコン１０のＡ／Ｄ変換回路１０４からのデジタル信号に基づいて表示部８に引外し時の電流波形や負荷電流の高調波電流などを表示させる電流情報処理部２０８ｄと、から構成されている。
【００１７】
次に、電子式回路遮断器４００における各過電流引外し動作について説明する。
まず、瞬時引外し動作においては、Ａ／Ｄ変換回路１０４により変換された電流値に応じたデジタル値は、瞬時引外し処理部１０８ａへ引き渡される。そして、そのデジタル値が瞬時引外し特性の電流領域を越えた時に、瞬時引外し処理部１０８ａは、出力ポート１０６から引外し回路６へ瞬時引外し信号Ｓ１を出力する。
【００１８】
次に、短限時引外し動作および長限時引外し動作においては、Ａ／Ｄ変換回路１０４により変換された電流値に応じたデジタル値は、Ａ／Ｄ変換回路１０４から第１の通信回路１０５、最大値演算部１０８ｂおよび実効値演算部１０８ｃへと入力される。最大値演算部１０８ｂおよび実効値演算部１０８ｃでは、それぞれ所定の周期における最大値と実効値が算出され、それらのデジタル値が第１の通信回路１０５へと入力される。Ａ／Ｄ変換された負荷電流のデジタル値、実効値、および最大値といった電流情報は、それぞれ所定の周期の通信によって第１の通信回路１０５から第２マイコン２０の第１の通信回路２０５へと送信される。第１の通信回路２０５は、受信した電流情報を短限時引外し処理部２０８ｂおよび長限時引外し処理部２０８ｃへと引き渡す。
【００１９】
短限時引外し処理部２０８ｂおよび長限時引外し処理部２０８ｃは、引き渡された電流情報、すなわち電流検出装置３が出力する電流信号の大きさに応じて動作を行い、過電流である場合には限時動作を行った後、出力ポート２０６を介して、引外し回路６へ限時引外し信号Ｓ２を出力する。
第１マイコン１０、第２マイコン２０のいずれかから瞬時引外し信号Ｓ１もしくは限時引外し信号Ｓ２が出力されると、引外し回路６が駆動されることで引外し装置７が励磁され、開閉接点２が開離させられる。
【００２０】
次に、遮断時に、電流情報処理部２０８ｄが、電流波形などの電流情報を表示部８へ表示させる動作について説明する。
第２マイコン２０の電流情報処理部２０８ｄは、図３に示すように、第１マイコン１０から受信したＡ／Ｄ変換された所定数の負荷電流のデジタル値をＦＩＦＯテーブルに記憶する。電流情報処理部２０８ｄのＦＩＦＯテーブルでは、図３（ａ）に示すようにＦＩＦＯテーブルが満杯の状態で、新しいデータであるデジタル値（ｎ＋１）が書き込まれると、図３（ｂ）に示すように、一番古いデータであるデジタル値（１）がＦＩＦＯテーブルから消去されるように更新される。
【００２１】
同様に、その次の更新で新しいデータであるデジタル値（ｎ＋２）が書き込まれると、図３（ｃ）に示すように、一番古いデータであるデジタル値（２）がＦＩＦＯテーブルから消去される。このため、ＦＩＦＯテーブルには、最新の負荷電流のデジタル値から所定数だけ前までの古い負荷電流のデジタル値が記憶されている。なお、このＦＩＦＯテーブルは、ＲＯＭ２０２もしくはＲＡＭ２０３内に構成されるものである。
【００２２】
瞬時引外し動作が行われた場合、瞬時引外し処理部１０８ａは、引外し回路６へ瞬時引外し信号Ｓ１を出力するとともに、第１の通信回路１０５を介して、第２マイコン２０に瞬時引外し動作の実行を送信する。瞬時引外し動作の実行を受信した第１の通信回路２０５は、さらに、電流情報処理部２０８ｄに瞬時引外し動作の実行を伝達する。
また、短限時引外し動作および長限時引外し動作が行われた場合、短限時引外し処理部２０８ｂおよび長限時引外し処理部２０８ｃは、それぞれ、引外し回路６へ限時引外し信号Ｓ２を出力するとともに、短限時引外し動作の実行および長限時引外し動作の実行を電流情報処理部２０８ｄに伝達する。
【００２３】
瞬時引外し動作、短限時引外し動作、長限時引外し動作のいずれかの引外し動作の実行が伝達された電流情報処理部２０８ｄは、ＦＩＦＯテーブルの更新を停止し、ＦＩＦＯテーブルに記憶されている負荷電流のデジタル値を、表示出力部２０７を介して表示部８へ送信し、引外し装置７が開閉接点２を開放する所定時間前から開放するまでの電路１における電流波形を表示部８に表示させる。
【００２４】
また、電流情報処理部２０８ｄは、ＦＩＦＯテーブルに記憶されている負荷電流のデジタル値に対し、フーリエ変換を行った後に表示部８に表示、または外部に出力することで、電路１に流れる高調波電流情報を容易に得ることも可能である。
【００２５】
なお、本実施の形態では、表示部８は、電子式回路遮断器４００に内蔵された表示部として説明したが、表示出力部２０７から無線通信等で外部の表示デバイスに送信し、各種電流情報を表示させるようにすることも可能である。
【００２６】
本実施の形態の電子式回路遮断器によれば、電流検出装置３の出力信号が入力され、瞬時引外し信号を出力する第１マイコン１０と、設定部５が接続され、瞬時引外し特性を第１マイコン１０に送信するとともに、第１マイコン１０から電路１を流れる電流情報を取得し限時引外し信号を出力する第２マイコン２０と、瞬時引外し信号Ｓ１および限時引外し信号Ｓ２に基づいて開閉接点２を開放する引外し装置７と、を備え、第２マイコン２０は、第１マイコン１０から電路１の電流情報を取得し、この電流情報を表示または外部に出力する電流情報処理部２０８ｄを備えたので、各マイクロコンピュータの処理負担が軽減され、処理時間の短縮と内部メモリの使用容量の低減を図ることができる。
【００２７】
また、電流情報処理部２０８ｄが表示または外部に出力する電流情報は、引外し装置７が開閉接点２を開放する直前から開放するまでの電路１における電流波形または電路１の高調波電流であるので、電子式回路遮断器４００が遮断を行った原因を容易に把握することができる。
【００２８】
また、交流電路用の電子式回路遮断器の場合、電源回路は、電路１の電流を計測する電流検出装置３が出力する電流信号を電源として使用するが、電路１に流れる電流が小さい長限時引外し特性の領域においても各マイクロコンピュータの処理負担が軽減されることで、消費電流を削減できるので電源が不足する可能性がなく、電子式回路遮断器４００の信頼性を向上することができる。
【００２９】
実施の形態２．
図４は実施の形態２に係る電子式回路遮断器のブロック図、図５は図４に示す電子式回路遮断器におけるマイクロコンピュータの機能を示す機能ブロック図、図６は図５に示す電子式回路遮断器におけるタグデータ付与部の出力データであるタグ付きデジタル信号Ｄ１の構成を示す図、図７は図５に示す電子式回路遮断器における最大値演算部の出力データであるタグ付き最大値データＤ２の構成を示す図、図８は図５に示す電子式回路遮断器における実効値演算部の出力データであるタグ付き実効値データＤ３の構成を示す図、図９は図５に示す電流情報処理部のＦＩＦＯテーブルを説明するための説明図、図１０は図５に示す電子式回路遮断器における瞬時引外し処理部の出力データであるＩＮＳＴタグデータＴＩの構成を示す図、図１１は図５に示す電子式回路遮断器における短限時引外し処理部の出力データであるＳＨＯＲＴタグデータＴＳの構成を示す図、図１２は図５に示す電子式回路遮断器における長限時引外し処理部の出力データであるＬＯＮＧタグデータＴＬの構成を示す図である。
【００３０】
実施の形態１における電流情報処理部２０８ｄは、第２マイコン２０に設けられていたが、本実施の形態おける電流情報処理部は、第１マイコン１０および第２マイコン２０とは別に設けられたものである。
また、第１マイコン１０のソフトウェア処理１０８には、Ａ／Ｄ変換回路１０４からのデジタル信号にタグデータを付与し、瞬時引外し処理部１０８ａ、最大値演算部１０８ｂ、実効値演算部１０８ｃおよび第１の通信回路１０５にタグデータ付きのデジタル信号を引き渡すタグデータ付与部１０８ｄが設けられたものである。
【００３１】
図４に示すように、本実施の形態における電子式回路遮断器５００には、第１マイコン１０および第２マイコン２０に、第１の通信回路３０４および第２の通信回路３０５でそれぞれ接続された第３マイクロコンピュータ３０（以下、第３マイコン３０という）が設けられている。第３マイコン３０には、実施の形態１において第２マイコン２０に接続されていた表示部８が接続されている。
【００３２】
第１マイコン１０には、後述の電流情報処理部３０８にタグデータ付きのデジタル信号を送信するための第２の通信回路１０７が設けられている。
また、第２マイコン２０には、実施の形態１の電流情報処理部２０８ｄおよび表示出力部２０７に代えて、電流情報処理部３０８に遮断が実行されたタイミングを知らせるためのタグ情報を送信する第２の通信回路１０７が設けられている。
【００３３】
また、第３マイコン３０には、マイクロコンピュータを構成するＣＰＵ３０１、ＲＯＭ３０２、及びＲＡＭ３０３と、第１マイコン１０からタグデータ付きデジタル信号を受信するための第１の通信回路３０４と、第２マイコン２０から遮断時のタグ情報を受信するための第２の通信回路３０５と、外部の通信端末に電流情報を出力する外部出力部３０６と、表示部８へ電流情報を表示させる表示出力部３０７と、が設けられている。
【００３４】
次に、第１、第２、第３マイコン１０、２０、３０のソフトウェアにて処理を行う機能ブロックについて説明する。
図５に示すように、第３マイコン３０のＣＰＵ３０１によるソフトウェア処理である電流情報処理部３０８は、第１マイコン１０のタグデータ付与部１０８ｄからのタグデータ付きデジタル信号に基づいて表示部８に引外し時の電流波形や負荷電流の高調波電流などを表示させるものである。
なお、その他の構成については、実施の形態１と同様であり、同一符号を付すことにより重複説明を省略する。
【００３５】
次に、遮断時に電流情報処理部３０８が、電流波形などの電流情報を表示部８へ表示させる動作について説明する。
図５に示すように、Ａ／Ｄ変換回路１０４から出力されたＡ／Ｄ変換データｄ１は、最大値演算部１０８ｂ、実効値演算部１０８ｃおよびタグデータ付与部１０８ｄへ入力される。
タグデータ付与部１０８ｄでは、Ａ／Ｄ変換回路１０４から受け取ったＡ／Ｄ変換データｄ１、最大値演算部１０８ｂから受け取ったタグデータＴ２、および実効値演算部１０８ｃから受け取ったタグデータＴ３に加え、さらに、タグデータ付与部１０８ｄが生成するタグデータＴ１を付加し、図６に示すタグ付きデジタル信号Ｄ１を生成する。
【００３６】
タグデータＴ１は、初期値を０とした整数で、タグデータ付与部１０８ｄがＡ／Ｄ変換データをＡ／Ｄ変換回路１０４から取得する度に１つ進められるものとする。タグデータＴ２、Ｔ３の詳細については、後述する。
このタグ付きデジタル信号Ｄ１は、図５に示すように、タグデータ付与部１０８ｄから、瞬時引外し処理部１０８ａおよび第２の通信回路１０７へ出力される。
タグ付きデジタル信号Ｄ１を受け取った第２の通信回路１０７は、タグ付きデジタル信号Ｄ１を第３マイコン３０の第１の通信回路３０４を介して電流情報処理部３０８へ送信する。
【００３７】
最大値演算部１０８ｂでは、Ａ／Ｄ変換データｄ１から第１の所定の周期（例えば、５０Ｈｚの半周期である１０ｍｓｅｃの４倍の４０ｍｓｅｃ）における電流の最大値データｄ２が算出され、算出した最大値データｄ２にタグデータＴ２を付加し、図７に示すタグ付き最大値データＤ２を生成する。
タグデータＴ２は、初期値を０とした整数で、最大値演算部１０８ｂが最大値演算を行う第１の所定の周期ごとに１つ進められるものとする。
タグデータＴ２は、最大値演算部１０８ｂからタグデータ付与部１０８ｄへ出力され、タグデータ付与部１０８ｄでタグ付きデジタル信号Ｄ１の生成に使用される。また、最大値演算部１０８ｂで生成されたタグ付き最大値データＤ２は、最大値演算部１０８ｂから第１の通信回路１０５を経由して第２マイコン２０へ送信される。
【００３８】
実効値演算部１０８ｃでは、Ａ／Ｄ変換データｄ１から第２の所定の周期（例えば、５０Ｈｚの周期と６０Ｈｚの周期の最小公倍数である１００ｍｓｅｃ）における電流の実効値が算出され、算出した実効値データｄ３にタグデータＴ３を付加し、図８に示すタグ付き実効値データＤ３を生成する。
タグデータＴ３は、初期値を０とした整数で、実効値演算部１０８ｃが電流の実効値の演算を行う第２の所定の周期ごとに１つ進められるものとする。
タグデータＴ３は、実効値演算部１０８ｃからタグデータ付与部１０８ｄへ出力され、タグデータ付与部１０８ｄでタグ付きデジタル信号Ｄ１の生成に使用される。また、実効値演算部１０８ｃで生成されたタグ付き実効値データＤ３は、実効値演算部１０８ｃから第１の通信回路１０５を経由して第２マイコン２０へ送信される。
【００３９】
電流情報処理部３０８は、図９に示すように、第１マイコン１０から受け取ったタグ付きデジタル信号Ｄ１をＡ／Ｄ変換データｄ１とタグデータＴ１，Ｔ２，Ｔ３とに分けてＦＩＦＯテーブルに記憶する。
電流情報処理部３０８のＦＩＦＯテーブルでは、ＦＩＦＯテーブルが満杯の状態で、新しいデータであるデジタル値（ｎ＋１）が書き込まれると、一番古いデータであるデジタル値１とそのタグデータがＦＩＦＯテーブルから消去されるように更新される。このため、ＦＩＦＯテーブルには、最新の負荷電流のデジタル値から所定数だけさかのぼった古い負荷電流のデジタル値が記憶されている。なお、このＦＩＦＯテーブルは、ＲＯＭ３０２もしくはＲＡＭ３０３内に構成されるものである。
【００４０】
なお、請求の範囲でも述べている「タグ付き電流信号データ」とは、本実施の形態では、タグ付きデジタル信号Ｄ１、タグ付き最大値データＤ２、およびタグ付き実効値データＤ３のことである。
【００４１】
次に、瞬時引外し動作について説明する。
タグデータ付与部１０８ｄからタグ付きデジタル信号Ｄ１を受け取った瞬時引外し処理部１０８ａは、タグ付きデジタル信号Ｄ１のＡ／Ｄ変換データｄ１が、瞬時引外し特性の電流領域を越えた時に、出力ポート１０６から引外し回路６へ瞬時引外し信号Ｓ１を出力するとともに、その時にタグ付きデジタル信号Ｄ１へ付与されていたタグデータＴ１を抽出し、そのタグデータＴ１にデータ種別ＩＮＳＴを付与した後、図１０に示す形式のＩＮＳＴタグデータＴＩとして第１の通信回路１０５を経由して第２マイコン２０へ送信する。
【００４２】
第２マイコン２０の第１の通信回路２０５は、瞬時引外し処理部１０８ａからＩＮＳＴタグデータＴＩを受信すると、第２の通信回路２０９を介して、第３マイコン３０にＩＮＳＴタグデータＴＩを送信する。
第２マイコン２０からＩＮＳＴタグデータＴＩを受信した第３マイコン３０の第２の通信回路３０５は、電流情報処理部３０８にＩＮＳＴタグデータＴＩを渡すことで、第１マイコン１０によって瞬時引外しが実行された時のタグデータを知らせる。
【００４３】
ＩＮＳＴタグデータＴＩを受信した電流情報処理部３０８は、図９に示すＦＩＦＯテーブルの更新を停止し、ＦＩＦＯテーブルに記憶されているタグデータＴ１と受信したＩＮＳＴタグデータＴＩのタグデータ部とを照合し、一致するタグデータ以前の対応するＡ／Ｄ変換データｄ１を、表示出力部３０７を介して表示部８へ送信し、引外し装置７が開閉接点２を開放する所定時間前から開放するまでの電路１における電流波形を表示部８に表示させる。
また、電流情報処理部３０８は、同様に、外部出力部３０６より外部の通信端末に対し、無線通信等により引外し装置７が開閉接点２を開放する所定時間前から開放するまでの電路１における電流波形のデータを送信し、外部の通信端末に電流波形を表示させることもできる。
【００４４】
次に、短限時引外し動作について説明する。
第２マイコン２０の短限時引外し処理部２０８ｂは、最大値演算部１０８ｂから第１の通信回路２０５を介してタグ付き最大値データＤ２を受信すると、設定処理部２０８ａから設定された短限時引外しの特性データと比較し、過電流である場合には限時動作を行った後、出力ポート２０６を介して、引外し回路６へ限時引外し信号Ｓ２を出力する。さらに、短限時引外し処理部２０８ｂは、限時引外し信号Ｓ２を出力することになったタグ付き最大値データＤ２からタグデータＴ２を抽出し、そのタグデータにデータ種別ＳＨＯＲＴを付与した後、図１１に示す形式のＳＨＯＲＴタグデータＴＳとして第２の通信回路２０９を介して第３マイコン３０へ送信する。
【００４５】
第２マイコン２０からＳＨＯＲＴタグデータＴＳを受信した第２の通信回路３０５は、電流情報処理部３０８にＳＨＯＲＴタグデータＴＳを渡すことで、第２マイコン２０によって短限時引外し動作が実行された時のタグデータを知らせる。
【００４６】
ＳＨＯＲＴタグデータＴＳを受信した電流情報処理部３０８は、図９に示すＦＩＦＯテーブルの更新を停止し、ＦＩＦＯテーブルに記憶されているタグデータＴ２と受信したＳＨＯＲＴタグデータＴＳのタグデータ部とを照合し、一致するタグデータ以前の対応するＡ／Ｄ変換データを、表示出力部３０７を介して表示部８へ送信し、引外し装置７が開閉接点２を開放する所定時間前から開放するまでの電路１における電流波形を表示部８に表示させる。
また、電流情報処理部３０８は、同様に、外部出力部３０６より外部の通信端末に対し、無線通信等により引外し装置７が開閉接点２を開放する所定時間前から開放するまでの電路１における電流波形のデータを送信することもできる。
【００４７】
次に、長限時引外し動作について説明する。
第２マイコン２０の長限時引外し処理部２０８ｃは、実効値演算部１０８ｃから第１の通信回路２０５を介してタグ付き実効値データＤ３を受信すると、設定処理部２０８ａから設定された長限時引外しの特性データと比較し、過電流である場合には限時動作を行った後、出力ポート２０６を介して、引外し回路６へ限時引外し信号Ｓ２を出力する。さらに、長限時引外し処理部２０８ｃは、限時引外し信号Ｓ２を出力することになったタグ付き実効値データＤ３からタグデータＴ３を抽出し、そのタグデータにデータ種別ＬＯＮＧを付与した後、図１２に示す形式のＬＯＮＧタグデータＴＬとして、第２の通信回路２０９を介して第３マイコン３０へ送信する。
【００４８】
第２マイコン２０からＬＯＮＧタグデータＴＬを受信した第２の通信回路３０５は、電流情報処理部３０８にＬＯＮＧタグデータＴＬを渡すことで、第２マイコン２０によって長限時引外し動作が実行された時のタグデータを知らせる。
【００４９】
ＬＯＮＧタグデータＴＬを受信した電流情報処理部３０８は、図９に示すＦＩＦＯテーブルの更新を停止し、ＦＩＦＯテーブルに記憶されているタグデータＴ３と受信したＬＯＮＧタグデータＴＬのタグデータ部とを照合し、一致するタグデータ以前の対応するＡ／Ｄ変換データを、表示出力部３０７を介して表示部８へ送信し、引外し装置７が開閉接点２を開放する所定時間前から開放するまでの電路１における電流波形を表示部８に表示させる。
【００５０】
また、電流情報処理部３０８は、同様に、外部出力部３０６より外部の通信端末に対し、無線通信等により引外し装置７が開閉接点２を開放する所定時間前から開放するまでの電路１における電流波形のデータを送信することもできる。
なお、第１マイコン１０、第２マイコン２０のいずれかから瞬時引外し信号Ｓ１もしくは限時引外し信号Ｓ２が出力されると、引外し回路６が駆動されることで引外し装置７が励磁され、開閉接点２が開離させられる。
【００５１】
本実施の形態の電子式回路遮断器によれば、電流検出装置３が出力する電流信号が入力され、瞬時引外し信号を出力する第１マイコン１０と、設定部５が接続され、瞬時引外し特性を第１マイコン１０に送信するとともに、第１マイコン１０から電路１を流れる電流情報を取得し限時引外し信号を出力する第２マイコン２０と、瞬時引外し信号Ｓ１および限時引外し信号Ｓ２に基づいて開閉接点２を開放する引外し装置７と、第１マイコン１０から電路１の電流情報を取得し、この電流情報を表示または外部に出力する電流情報処理部３０８を有する第３マイコン３０と、を備えたので、各マイコンの処理負担が軽減され、処理時間の短縮と内部メモリの使用容量の低減を図ることができる。
【００５２】
また、電流情報処理部３０８が表示または外部に出力する電流情報は、引外し装置７が開閉接点２を開放する直前から開放するまでの電路１における電流波形または電路１の高調波電流であるので、電子式回路遮断器５００が遮断を行った原因を容易に把握することができる。
【００５３】
また、第１マイコン１０は、電流検出装置３が出力する電流信号に比例した電流信号がＡ／Ｄ変換されたタイミングを示すタグデータＴ１、最大値演算部１０８ｂにより最大値が演算されたタイミングを示すタグデータＴ２、および実効値演算部１０８ｃにより実効値が演算されたタイミングを示すタグデータＴ３を付与したタグ付きデジタル信号Ｄ１を生成し、第３マイコン３０の電流情報処理部３０８にタグ付きデジタル信号Ｄ１を送信するタグデータ付与部１０８ｄと、瞬時引外しを行う際に瞬時引外し信号Ｓ１を出力するとともに、第２マイコン２０を経由して第３マイコン３０の電流情報処理部３０８にＩＮＳＴタグデータＴＩを送信する瞬時引外し処理部１０８ａと、を備え、第２マイコン２０は、短限時引外しを行う際に限時引外し信号Ｓ２を出力するとともに、電流情報処理部３０８にＳＨＯＲＴタグデータＴＳを送信する短限時引外し処理部２０８ｂと、長限時引外しを行う際に限時引外し信号Ｓ２を出力するとともに、電流情報処理部３０８にＬＯＮＧタグデータＴＬを送信する長限時引外し処理部２０８ｃと、を備え、第３マイコン３０は、ＩＮＳＴタグデータＴＩ、ＳＨＯＲＴタグデータＴＳ、ＬＯＮＧタグデータＴＬに基づいて引外し装置７が開閉接点２を開放する所定時間前から開放するまでの電路１における電流波形を表示または外部に出力する電流情報処理部３０８を備えたので、引外し信号を第１マイコン１０および第２マイコン２０から第３マイコン３０へ別途入力する必要がなく使用するポート数を削減できる。
【００５４】
また、第３マイコン３０は、各タグデータＴＩ、ＴＳ、ＴＬに基づいて引外し装置７が開閉接点２を開放する所定時間前から開放するまでの電路１における電流波形を表示または外部に出力するので、第１マイコン１０と第３マイコン３０との通信、および第２マイコン２０と第３マイコン３０との通信について、同期させる必要がなく、それぞれの通信で効率のよいデータサイズと通信周期を採用することができ、電子式回路遮断器全体としての信頼性を向上させることができる。
【００５５】
実施の形態３．
図１３は実施の形態３の電子式回路遮断器におけるマイクロコンピュータの機能を示す機能ブロック図、図１４は図１３に示すタグデータ付与部の出力データであるタグ付きデジタル信号Ｅ１の構成を示す図、図１５は図１３に示す電流情報処理部のＦＩＦＯテーブルを説明するための説明図、図１６は図１３に示す瞬時引外し処理部の出力データであるＩＮＳＴタグデータＴＩの構成を示す図、図１７は図１３に示す最大値演算部の出力データであるタグ付き最大値データＥ２の構成を示す図、図１８は図１３に示す短限時引外し処理部の出力データであるＳＨＯＲＴタグデータＴＳの構成を示す図、図１９は図１３に示す実効値演算部の出力データであるタグ付き実効値データＥ３の構成を示す図、図２０は図１３に示す長限時引外し処理部の出力データであるＬＯＮＧタグデータＴＬの構成を示す図である。
【００５６】
本実施の形態は、実施の形態２では３種類のタグデータＴ１〜Ｔ３を使用していたものを、１種類のタグデータとしたものである。よって、本実施の形態における電子式回路遮断器６００の構成を示すブロック図については、実施の形態２で説明した図４と同じなので説明を省略する。
【００５７】
次に、第１、第２、第３マイコン１０、２０、３０のソフトウェアにて処理を行う機能ブロックについて説明する。
【００５８】
まず、電流情報処理部３０８が、電流波形などの電流情報を表示部８へ表示させるためにＡ／Ｄ変換データｄ１を蓄積する動作について説明する。
図１３に示すように、Ａ／Ｄ変換回路１０４から出力されたＡ／Ｄ変換データｄ１は、タグデータ付与部１０８ｄへ入力される。タグデータ付与部１０８ｄでは、受け取ったＡ／Ｄ変換データｄ１にタグデータＴ１を付加し、図１４に示すタグ付きデジタル信号Ｅ１を生成する。
タグデータＴ１は初期値を０とした整数で、タグデータ付与部１０８ｄがＡ／Ｄ変換データｄ１をＡ／Ｄ変換回路１０４から取得する度に１つ進めるものとする。
このタグ付きデジタル信号Ｅ１は、タグデータ付与部１０８ｄから、瞬時引外し処理部１０８ａ、最大値演算部１０８ｂ、実効値演算部１０８ｃ、および第２の通信回路１０７へ出力される。
【００５９】
タグ付きデジタル信号Ｅ１を受け取った第２の通信回路１０７は、タグ付きデジタル信号Ｅ１を第３マイコン３０の第１の通信回路３０４を介して電流情報処理部３０８へ送信する。
電流情報処理部３０８は、図１５に示すように、受け取ったタグ付きデジタル信号Ｅ１をＡ／Ｄ変換データｄ１とタグデータＴ１とに分けてＦＩＦＯテーブルに記憶する。
【００６０】
電流情報処理部３０８のＦＩＦＯテーブルでは、図１５（ａ）に示すＦＩＦＯテーブルが満杯の状態で、新しいデータであるデジタル値（ｎ＋１）が書き込まれると、図１５（ｂ）に示すように、一番古いデータであるデジタル値１とそのタグデータがＦＩＦＯテーブルから消去されるように更新される。このため、ＦＩＦＯテーブルには、最新の負荷電流のデジタル値から所定数だけ前までの古い負荷電流のデジタル値が記憶されている。なお、このＦＩＦＯテーブルは、ＲＯＭ３０２もしくはＲＡＭ３０３内に構成されるものである。
【００６１】
次に、瞬時引外し動作について説明する。
タグデータ付与部１０８ｄからタグ付きデジタル信号Ｅ１を受け取った瞬時引外し処理部１０８ａは、タグ付きデジタル信号Ｅ１が瞬時引外し特性の電流領域を越えた時に、出力ポート１０６から引外し回路６へ瞬時引外し信号Ｓ１を出力するとともに、その時にタグ付きデジタル信号Ｅ１へ付与されていたタグデータを図１６に示す形式のＩＮＳＴタグデータＴＩとして、第１の通信回路１０５から第２マイコン２０へ送信する。
【００６２】
第２マイコン２０の第１の通信回路２０５は、瞬時引外し処理部１０８ａからＩＮＳＴタグデータＴＩを受信すると、第２の通信回路２０９を介して、第３マイコン３０にＩＮＳＴタグデータＴＩを送信する。
第２マイコン２０からＩＮＳＴタグデータＴＩを受信した第３マイコン３０の第２の通信回路３０５は、電流情報処理部３０８にＩＮＳＴタグデータＴＩを渡すことで、第１マイコン１０によって瞬時引外しが実行された時のタグデータを知らせる。
【００６３】
ＩＮＳＴタグデータＴＩを受信した電流情報処理部３０８は、ＦＩＦＯテーブルの更新を停止し、ＦＩＦＯテーブルに記憶されているタグデータと受信したＩＮＳＴタグデータＴＩとを照合し、一致するタグデータ以前の対応するＡ／Ｄ変換データを、表示出力部３０７を介して表示部８へ送信し、引外し装置７が開閉接点２を開放する所定時間前から開放するまでの電路１における電流波形を表示部８に表示させる。
また、電流情報処理部３０８は、同様に、外部出力部３０６より外部の通信端末に対し、無線通信等により引外し装置７が開閉接点２を開放する所定時間前から開放するまでの電路１における電流波形のデータを送信する。
【００６４】
次に、短限時引外し動作について説明する。
最大値演算部１０８ｂは、タグデータ付与部１０８ｄから受け取ったタグ付きデジタル信号Ｅ１のＡ／Ｄ変換データｄ１をチェックし、第１の所定の周期（例えば、５０Ｈｚの半周期である１０ｍｓｅｃの４倍の４０ｍｓｅｃ）における最大値データｄ２を算出する。この最大値データｄ２に、その期間における最後のタグデータＴ１を付加し、図１７に示すタグ付き最大値データＥ２を生成し、第１の通信回路１０５から第２マイコン２０へ送信する。
【００６５】
第２マイコン２０の短限時引外し処理部２０８ｂは、最大値演算部１０８ｂから第１の通信回路２０５を介してタグ付き最大値データＥ２を受信すると、設定処理部２０８ａから設定された短限時引外しの特性データと比較し、過電流である場合には限時動作を行った後、出力ポート２０６を介して、引外し回路６へ限時引外し信号Ｓ２を出力するとともに、限時引外し信号Ｓ２を出力することになったタグデータをタグ付き最大値データＥ２から抽出し、図１８に示すＳＨＯＲＴタグデータＴＳとして第２の通信回路２０９を介して第３マイコン３０へ送信する。
【００６６】
第２マイコン２０からＳＨＯＲＴタグデータＴＳを受信した第２の通信回路３０５は、電流情報処理部３０８にＳＨＯＲＴタグデータＴＳを渡すことで、第２マイコン２０によって短限時引外しが実行されたことと、短限時引外しが実行された際のタグデータとを知らせる。
【００６７】
ＳＨＯＲＴタグデータＴＳを受信した電流情報処理部３０８は、ＦＩＦＯテーブルの更新を停止し、ＦＩＦＯテーブルに記憶されているタグデータと受信したＳＨＯＲＴタグデータＴＳとを照合し、一致するタグデータ以前の対応するＡ／Ｄ変換データを、表示出力部３０７を介して表示部８へ送信し、引外し装置７が開閉接点２を開放する所定時間前から開放するまでの電路１における電流波形を表示部８に表示させる。
また、電流情報処理部３０８は、同様に、外部出力部３０６より外部の通信端末に対し、無線通信等により引外し装置７が開閉接点２を開放する所定時間前から開放するまでの電路１における電流波形のデータを送信する。
【００６８】
次に、長限時引外し動作について説明する。
タグデータ付与部１０８ｄからタグ付きデジタル信号Ｅ１を受け取った実効値演算部１０８ｃは、タグデータ付与部１０８ｄから受け取ったタグ付きデジタル信号Ｅ１のデジタル信号から第２の所定の周期（例えば、５０Ｈｚの周期と６０Ｈｚの周期の最小公倍数である１００ｍｓｅｃ）における実効値を演算し、演算に使用した期間の最後すなわち、最新のタグ付きデジタル信号Ｅ１のタグデータを演算により算出された実効値に付与し、図１９に示すタグ付き実効値データＥ３として第１の通信回路１０５から第２マイコン２０へ送信する。
【００６９】
第２マイコン２０の長限時引外し処理部２０８ｃは、実効値演算部１０８ｃから第１の通信回路２０５を介してタグ付き実効値データＥ３を受信すると、設定処理部２０８ａから設定された長限時引外しの特性データと比較し、過電流である場合には限時動作を行った後、出力ポート２０６を介して、引外し回路６へ限時引外し信号Ｓ２を出力するとともに、限時引外し信号Ｓ２を出力することになったタグ付き実効値データＥ３からタグデータを抽出し、図２０に示すＬＯＮＧタグデータＴＬとして、第２の通信回路２０９を介して第３マイコン３０へ送信する。
【００７０】
第２マイコン２０からＬＯＮＧタグデータＴＬを受信した第２の通信回路３０５は、電流情報処理部３０８にＬＯＮＧタグデータＴＬを渡すことで、第２マイコン２０によって長限時引外しが実行されたことと、長限時引外しが実行された際のタグデータとを知らせる。
【００７１】
ＬＯＮＧタグデータＴＬを受信した電流情報処理部３０８は、ＦＩＦＯテーブルの更新を停止し、ＦＩＦＯテーブルに記憶されているタグデータと受信したＬＯＮＧタグデータＴＬとを照合し、一致するタグデータ以前の対応するＡ／Ｄ変換データを、表示出力部３０７を介して表示部８へ送信し、引外し装置７が開閉接点２を開放する所定時間前から開放するまでの電路１における電流波形を表示部８に表示させる。また、電流情報処理部３０８は、同様に、外部出力部３０６より外部の通信端末に対し、無線通信等により引外し装置７が開閉接点２を開放する所定時間前から開放するまでの電路１における電流波形のデータを送信することもできる。
【００７２】
第１マイコン１０、第２マイコン２０のいずれかから瞬時引外し信号Ｓ１もしくは限時引外し信号Ｓ２が出力されると、引外し回路６が駆動されることで引外し装置７が励磁され、開閉接点２が開離させられる。
なお、請求の範囲でも述べている「タグ付き電流信号データ」とは、本実施の形態では、タグ付きデジタル信号Ｅ１、タグ付き最大値データＥ２、およびタグ付き実効値データＥ３のことである。
【００７３】
本実施の形態の電子式回路遮断器によれば、電流検出装置３の電流信号が入力され、瞬時引外し信号を出力する第１マイコン１０と、設定部５が接続され、瞬時引外し特性を第１マイコン１０に送信するとともに、第１マイコン１０から電路１を流れる電流情報を取得し限時引外し信号を出力する第２マイコン２０と、瞬時引外し信号Ｓ１および限時引外し信号Ｓ２に基づいて開閉接点２を開放する引外し装置７と、第１マイコン１０から電路１の電流情報を取得し、この電流情報を表示または外部に出力する電流情報処理部３０８を有する第３マイコン３０と、を備えたので、各マイクロコンピュータの処理負担が軽減され、処理時間の短縮と内部メモリの使用容量の低減を図ることができる。
【００７４】
また、電流情報処理部３０８が表示または外部に出力する電流情報は、引外し装置７が開閉接点２を開放する直前から開放するまでの電路１における電流波形または電路１の高調波電流であるので、電子式回路遮断器６００が遮断を行った原因を容易に把握することができる。
【００７５】
また、第１マイクロコンピュータ１０は、電流検出装置３からの電流信号に検出タイミングを示すタグ情報を付与した電流信号データを生成し、第３マイクロコンピュータ３０の電流情報処理部３０８と第２マイクロコンピュータ２０に電流信号データを送信するタグデータ付与部を備え、第２マイクロコンピュータ２０は、限時引外し信号を出力した際にタグ情報を電流情報処理部３０８に送信し、タグ情報に基づいて引外し装置７が開閉接点２を開放する所定時間前から開放するまでの電路１における電流波形を表示または外部に出力するので、引外し信号を第１マイコン１０および第２マイコン２０から第３マイコン３０へ別途入力する必要がなく使用するポート数を削減できる。
【００７６】
また、第３マイコン３０は、タグ情報に基づいて引外し装置７が開閉接点２を開放する所定時間前から開放するまでの電路１における電流波形を表示または外部に出力するので、第１マイコン１０と第３マイコン３０との通信、および第２マイコン２０と第３マイコン３０との通信について、同期させる必要がなく、それぞれの通信で効率のよいデータサイズと通信周期を採用することができ、電子式回路遮断器全体としての信頼性を向上させることができる。
【符号の説明】
【００７７】
２  開閉接点、３  電流検出装置、４  電流検出回路、５  設定部、
６  引外し回路、７  引外し装置、８  表示部、
１０  第１マイクロコンピュータ、２０  第２マイクロコンピュータ、
３０  第３マイクロコンピュータ、
１０４  Ａ／Ｄ変換回路、１０５  第１の通信回路、１０６  出力ポート、
１０７  第２の通信回路、１０８  ソフトウェア処理、
１０８ａ  瞬時引外し処理部、１０８ｂ  最大値演算部、１０８ｃ  実効値演算部、
２０４  設定入力部、２０５  第１の通信回路、２０６  出力ポート、
２０８  ソフトウェア処理、２０８ａ  設定処理部、２０８ｂ  短限時引外し処理部、
２０８ｃ  長限時引外し処理部、２０９  第２の通信回路、
３０４  第１の通信回路、３０５  第２の通信回路、３０６  外部出力部、
３０７  表示出力部、３０８  電流情報処理部、
４００  電子式回路遮断器。
【図１】
0006947302.tif 000002
【図２】
0006947302.tif 000003
【図３】
0006947302.tif 000004
【図４】
0006947302.tif 000005
【図５】
0006947302.tif 000006
【図６】
0006947302.tif 000007
【図７】
0006947302.tif 000008
【図８】
0006947302.tif 000009
【図９】
0006947302.tif 000010
【図１０】
0006947302.tif 000011
【図１１】
0006947302.tif 000012
【図１２】
0006947302.tif 000013
【図１３】
0006947302.tif 000014
【図１４】
0006947302.tif 000015
【図１５】
0006947302.tif 000016
【図１６】
0006947302.tif 000017
【図１７】
0006947302.tif 000018
【図１８】
0006947302.tif 000019
【図１９】
0006947302.tif 000020
【図２０】
0006947302.tif 000021